(57)【要約】【課題】  光モジュール内で露出する裸ファイバが使用環境により劣化するのを防止する。【解決手段】  ハウジング２内で、フェルール４に貫通状態で挿通固定された裸ファイバ５ａの先端部をガラスキャピラリ６に挿通固定する。３は光素子である。フェルール４とガラスキャピラリ６との間で露出する裸ファイバ５ａにＵＶ硬化樹脂１７を被覆する。【選択図】  図１
2005106985.tif 000002
【特許請求の範囲】
【請求項１】
ハウジング内で、フェルールに貫通状態で挿通固定された裸ファイバの先端を光素子に対向させた光モジュールにおいて、
前記裸ファイバのフェルールから延出する部分の露出部にＵＶ硬化樹脂を被覆したことを特徴とする光モジュール。
【請求項２】
ハウジング内で、フェルールに貫通状態で挿通固定された裸ファイバの先端部をキャピラリに挿通固定させた状態で光素子に対向させた光モジュールにおいて、
前記フェルールとキャピラリとの間で露出する裸ファイバにＵＶ硬化樹脂を被覆したことを特徴とする光モジュール。
【請求項３】
光ファイバ心線の先端部の被覆を除去した裸ファイバをフェルールに貫通状態で挿通固定し、フェルールから延出する裸ファイバの先端部にキャピラリを挿通固定してなる部品付き光ファイバ心線であって、
前記フェルールとキャピラリとの間で露出する裸ファイバにＵＶ硬化樹脂を被覆したことを特徴とする部品付き光ファイバ心線。
【請求項４】
光ファイバ心線の先端部の被覆を除去した裸ファイバをフェルールに貫通状態で挿通固定し、フェルールから延出する裸ファイバの先端部にキャピラリを挿通固定してなるとともに、光ファイバ心線の他端側に光コネクタを取り付けた部品付き光ファイバ心線であって、
前記フェルールとキャピラリとの間で露出する裸ファイバにＵＶ硬化樹脂を被覆したことを特徴とする部品付き光ファイバ心線。
【発明の詳細な説明】
【技術分野】
【０００１】
この発明は、ハウジング内で、フェルールに貫通状態で挿通固定された裸ファイバの先端を光素子に対向させた光モジュール、及び、この光モジュールの作製に用いて好適な部品付き光ファイバ心線に関する。
【背景技術】
【０００２】
光モジュールとして、例えばバルク型変調素子、あるいは発光素子や受光素子などの各種光素子を、密封ケース内に内蔵させたハーメチックシール（気密封止）型のものがあるが、この種の従来の光モジュールを図４に示す。図示例の光モジュール１は光変調器であり、本発明の実施形態として示した図３のように両端部が概ね左右対称形状であるが、図４は片側部分の要部を断面で示している。この光モジュール１は、金属製のハウジング２内に固定された基板上に、例えばバルク型変調素子であるＬｉＮｂＯ３などの光素子３が搭載されたものや、種々の電子部品を実装し、ハウジング２の壁部２ａにフェルール挿通穴部２ｂを形成し、このフェルール挿通穴部２ｂにＳＵＳ等の金属製のフェルール４を貫通しハンダ付けで固定している（固定部を７で示す）。フェルール４は、光ファイバ心線５の端末部の被覆を除去した裸ファイバ５ａをその先端がフェルール先端面４ａから延出するように挿通固定しており、光ファイバ５ａのフェルール先端面４ａからの延出部の先端側部分は、ガラスキャピラリ６に挿通固定され、ガラスキャピラリ６の成端（端面研磨）された先端面は、光素子３側にＵＶ硬化型接着剤で固定されている。
【０００３】
上記のようにフェルール４とガラスキャピラリ６との間で光ファイバ５ａを露出させてフリーにしているのは、ハウジング２及びフェルール４の熱伸縮による歪みを吸収させるためであり、また、ガラスキャピラリを用いるのは、光素子と光ファイバの接着がＵＶ硬化型の接着剤で行われているためである。紫外線に対して透明な材質として一般的にはガラス製のものが用いられている。また、ガラスの線膨張係数が金属に比較して小さいという利点もある。
【発明の開示】
【発明が解決しようとする課題】
【０００４】
上記従来の光モジュール１は、フリーの裸ファイバ５ａ部分を設けていても、ハウジング２の熱伸縮が光ファイバ５ａに直接負荷としてかかる構造であるために、ハウジング２とフェルール４の熱伸縮の程度によっては、接続部にストレスをかけたり、あるいは、裸ファイバ５ａが曲がって特性が劣化したり、さらには破損する恐れがある。また、ハウジング２内で露出している裸ファイバ５ａは、使用環境によっては劣化する恐れがある。
【０００５】
そこで、光ファイバ５ａの補強や劣化防止のために、光ファイバ５ａの表面に金等の金属でメッキを施す場合もあるが、このようなメッキ処理は、作業性が低く、かつ非常にコストが高くなる。
【０００６】
本発明は上記従来の欠点を解消するためになされたもので、光モジュール内の裸ファイバが使用環境によって劣化する恐れがなく、しかも、金メッキ等のように作業性低下、コスト増大を招くことにない光モジュール、及びこの光モジュールの作製に好適な部品付き光ファイバ心線を提供することを目的とする。
【課題を解決するための手段】
【０００７】
上記課題を解決する請求項１の発明は、ハウジング内で、フェルールに貫通状態で挿通固定された裸ファイバの先端を光素子に対向させた光モジュールにおいて、前記裸ファイバのフェルールから延出する部分の露出部にＵＶ硬化樹脂を被覆したことを特徴とする。
【０００８】
請求項２の発明は、ハウジング内で、フェルールに貫通状態で挿通固定された裸ファイバの先端部をキャピラリに挿通固定させた状態で光素子に対向させた光モジュールにおいて、前記フェルールとキャピラリとの間で露出する裸ファイバにＵＶ硬化樹脂を被覆したことを特徴とす。
【０００９】
請求項３の発明は、光ファイバ心線の先端部の被覆を除去した裸ファイバをフェルールに貫通状態で挿通固定し、フェルールから延出する裸ファイバの先端部にキャピラリを挿通固定してなる部品付き光ファイバ心線であって、前記フェルールとキャピラリとの間で露出する裸ファイバにＵＶ硬化樹脂を被覆したことを特徴とする。
【００１０】
請求項４の発明は、光ファイバ心線の先端部の被覆を除去した裸ファイバをフェルールに貫通状態で挿通固定し、フェルールから延出する裸ファイバの先端部にキャピラリを挿通固定してなるとともに、光ファイバ心線の他端側に光コネクタを取り付けた部品付き光ファイバ心線であって、前記フェルールとキャピラリとの間で露出する裸ファイバにＵＶ硬化樹脂を被覆したことを特徴とする。
【発明の効果】
【００１１】
請求項１あるいは２の光モジュールによれば、ＵＶ硬化樹脂が裸ファイバの補強となり、各部の熱伸縮に起因するストレスで裸ファイバが曲がって特性が劣化したり、さらには破損したりすることを防止できる。
また、裸ファイバがＵＶ硬化樹脂で被覆されているから、使用環境によって裸ファイバが劣化することを防止できる。
また、ＵＶ硬化樹脂を被覆する処理は、金メッキ処理と比べて、作業性が良好であり、かつ大幅にコストを安くできる。ＵＶ硬化樹脂は、短時間硬化、無溶剤、一液性などの性質により取り扱いが容易であり、しかも、光ファイバ心線における被覆として広く用いられているものであるから、光ファイバ心線の被覆を一旦除去した後に再び被覆する際の材料として、好都合である。
【００１２】
請求項３のようにフェルール及びキャピラリを取り付けた部品付き光ファイバ心線、あるいは請求項４のように一端側にフェルール及びキャピラリを取り付け他端側に光コネクタを取り付けた部品付き光ファイバ心線によれば、上記の効果とともに、光モジュールの作製が容易である。
【発明を実施するための最良の形態】
【００１３】
以下、本発明を実施した光モジュール及び、部品付き光ファイバ心線について、図面を参照して説明する。
【実施例１】
【００１４】
図１（イ）は本発明の一実施例の光モジュール１１の要部断面図である。図示例の光モジュール１１は、例えば光変調器であり、図３に示すように両端部が概ね対称形状の角形断面あるいは円形断面を呈する。図１（イ）は図３の右端部部分の長手方向の断面を示している。この光モジュール１１は、金属製の細長いハウジング２内に固定された基板上の光素子３や種々の電子部品等を実装している。ここで光素子とは光モジュールに内蔵されている光部品の総称であり、既に説明したバルク型素子や受光、発光素子、その他、光学機能を有する部品を指すものとする。
ハウジング２の長手方向両端の壁部２ａには断面が円形なるフェルール挿通穴部２ｂを形成しており、このフェルール挿通穴部２ｂに、例えばＳＵＳ等の金属製で断面が円形のフェルール４が貫通固定されている。
【００１５】
フェルール４は全体が円筒形であり、心線被覆部挿入用の太径なる中空部４ｃの先端側に、細径の光ファイバ穴４ｂをあけられ、光ファイバ心線５の被覆端近傍が前記中空部４ｃに挿入され、かつ中空部４ｃの入口部分で接着剤１５で固定され、光ファイバ心線５の端末の被覆を除去した裸ファイバ５ａは、その先端がフェルール先端面４ａから延出するように光ファイバ穴４ｂに挿通されかつ接着剤で固定されており、かつ、裸ファイバ５ａのフェルール先端面４ａからの延出部の先端側部分は、透明材なるキャピラリ、例えばガラスキャピラリ６の光ファイバ穴６ｂに挿通されかつ接着剤で固定され、ガラスキャピラリ６の成端（端面研磨）された先端面は、光素子３側にＵＶ接着剤で固定されている。なお、ガラスキャピラリ６の先端面６ａは周知の斜め研磨で成端されている。図示例の光ファイバ心線５は裸ファイバ５ａに被覆を施した０．９ｍｍφの単心光ファイバ心線である。
本発明では、フェルール４の先端とガラスキャピラリ６の後端との間（Ｌで示す部分）の裸ファイバ５ａに、図１（ロ）の拡大断面図でも示すように、ＵＶ硬化樹脂を被覆している（ＵＶ硬化樹脂被覆を１７で示す）。このＵＶ硬化樹脂被覆１７は、裸ファイバ５ａにフェルール４及びガラスキャピラリ６を取り付けた後に形成する。
【００１６】
上記の光モジュール１１において、ＵＶ硬化樹脂被覆１７が裸ファイバ５ａの補強となり、各部の熱伸縮に起因しするストレスで裸ファイバ５ａのフリー部分が曲がって特性が劣化したり、さらには破損したりすることを防止できる。
また、裸ファイバ５ａがＵＶ硬化樹脂被覆１７を備えているから、使用環境によって裸ファイバ５ａが劣化することを防止できる。
また、ＵＶ硬化樹脂被覆１７を施す処理は、金メッキ処理と比べて、作業性が良好であり、かつ大幅にコストを安くできる。
【実施例２】
【００１７】
上記の光モジュール１１を構成する際、予め、フェルール４に光ファイバ心線５の端末の被覆を除去した裸ファイバ５ａを挿通固定し、かつ、その先端部をガラスキャピラリ６に挿通固定し、かつフェルール４とガラスキャピラリ６間の裸ファイバ５ａにＵＶ硬化樹脂被覆１７を施してなるフェルール・ガラスキャピラリ付き光ファイバ心線５１（図２参照）、すなわち部品付き光ファイバ心線を作製しておくとよい。
また、図２に示すように、このフェルール・ガラスキャピラリ付きの光ファイバ心線（部品付き光ファイバ心線）５１の他端に、例えばＦＣコネクタ等の光コネクタ１８を取り付けて、フェルール・ガラスキャピラリ及び光コネクタ付きの光ファイバ心線５２としておくと、機器内あるいは機器間光配線等の際に、作業性が良好であり好都合である。なお、図２に示した光ファイバ心線５の長さは例えば１ｍ等である。
【００１８】
上記の実施例では、フェルール４から延出した裸ファイバ５ａの先端部がガラスキャピラリ６に挿通固定されて、フェルール４とガラスキャピラリ６との間で裸ファイバ５ａが露出する場合であるが、ガラスキャピラリ６がなくフェルール４から裸ファイバ５ａが単に延出して光素子に対向する構造の光モジュールにも適用できる。この場合、フェルール４の先端面から延出する裸ファイバのほぼ全体にＵＶ硬化樹脂を被覆するとよい。
【００１９】
また、本発明は、実施例のようにフェルール４をハウジング２の壁部２ａに貫通固定させ構造のハーメチックシール型の光モジュールに適用して好適であるが、裸ファイバ５ａを挿通固定するフェルールは、必ずしもハウジングに貫通固定されたものに限らない。
またさらに、光モジュールの構成として両側から光ファイバが導入される左右対称形状のものだけでなくて、片側のみから光ファイバが導入される左右非対称であっても良い、すなわち本発明は、光モジュール内で裸ファイバが露出して使用される場合に適用されて、裸ファイバの使用環境による劣化を防止することであるから、光モジュールの機能形状には限定されない。
【図面の簡単な説明】
【００２０】
【図１】（イ）は本発明の一実施形態の光モジュール（光変調器）の要部の断面図、（ロ）は（イ）のＡ−Ａ拡大断面図である。
【図２】図１の光モジュールの作製の際に用いられる、ガラスキャピラリ・フェルール及び光コネクタ付きの光ファイバ心線（部品付き光ファイバ心線）を示した図である。
【図３】図１の光モジュールの全体平面図である。
【図４】従来の光モジュールの要部の断面図である。
【符号の説明】
【００２１】
２  ハウジング
２ａ  壁部
２ｂ  フェルール挿通穴部
３  光素子
４  フェルール
４ａ  フェルール先端面
４ｂ  光ファイバ穴
５  光ファイバ心線
５ａ  裸ファイバ
６  ガラスキャピラリ（キャピラリ）
６ｂ  光ファイバ穴
１１  光モジュール（光変調器）
１７  ＵＶ硬化樹脂被覆
１８  光コネクタ
５１  ガラスキャピラリ・フェルール付きの光ファイバ心線（部品付き光ファイバ心線）
５２  ガラスキャピラリ・フェルール及び光コネクタ付きの光ファイバ心線（部品付き光ファイバ心線）
【図１】
2005106985.tif 000003
【図２】
2005106985.tif 000004
【図３】
2005106985.tif 000005
【図４】
2005106985.tif 000006